(57)【要約】【課題】重量や寸法の大きい幕板などのパネル状物であっても、容易な操作で、確実に取り付けることができるようにしたパネル状物取付構造を提供する。【解決手段】幕板などのパネル状物６の下部に設けた左右１対の下部係止ブラケット１５を、左右方向を向き、かつ前面がパネル状物６の後面に当接される取付面板１５ａと、この取付面板１５ａの内側端縁から後方に向かって突出した基片１５ｂと、この基片の下面における取付面板の裏面から構造体４の取付面４ａに穿設した取付孔１３の内周縁部の肉厚とほぼ同一の間隔をもって離間し、かつその位置から下方に向かって延びる固定片１５ｃと、基片１５ｂの下端縁における固定片１５ｃから後方に離間した位置より、下方に向かって延設された仮止め片１５ｄとを備えるものとする。【選択図】    図８
2008121314.tif 000002
【特許請求の範囲】
【請求項１】
幕板などのパネル状物を取り付けるための構造体におけるパネル状物取付面に、左右に離間した各１対の取付孔を上下に離間して穿設するとともに、パネル状物の後面における前記取付孔に相対する位置に、左右各１対の係止ブラケットを上下に離間して設け、これら係止ブラケットと前記取付孔とを、それぞれ係止させることにより、前記構造体にパネル状物を取り付けたパネル状物取付構造において、
前記パネル状物の下部に設けた左右１対の下部係止ブラケットを、左右方向を向き、かつ前面がパネル状物の後面に当接される取付面板と、この取付面板の内側端縁から後方に向かって突出した基片と、この基片の下端縁面における取付面板の後面から前記構造体のパネル状物取付面に穿設した前記取付孔の内周縁部の肉厚とほぼ同一の間隔をもって離間し、かつその位置から下方に向かって延びる固定片と、基片の下端縁における固定片から後方に離間した位置より、下方に向かって延設された仮止め片とを備えるものとしたことを特徴とするパネル状物取付構造。
【請求項２】
幕板などのパネル状物を取り付けるための構造体におけるパネル状物取付面に、左右に離間した各１対の取付孔を上下に離間して穿設するとともに、パネル状物の後面における前記取付孔に相対する位置に、左右各１対の係止ブラケットを上下に離間して設け、これら係止ブラケットと前記取付孔とを、それぞれ係止させることにより、前記構造体にパネル状物を取り付けたパネル状物取付構造において、
前記パネル状物の下部に設けた左右１対の下部係止ブラケットを、パネル状物の後面から後方に向かって突出した基片と、この基片の下端縁面におけるパネル状物の後面から前記構造体のパネル状物取付面に穿設した前記取付孔の内周縁部の肉厚とほぼ同一の間隔をもって離間し、かつその位置から下方に向かって延びる固定片と、基片の下端縁における固定片から後方に離間した位置より、下方に向かって延設された仮止め片とを備えるものとしたことを特徴とするパネル状物取付構造。
【請求項３】
前記構造体に、この構造体におけるパネル状物取付面の上方において、前記パネル状物取付面よりも前方に向かって突出する突出部を設けるとともに、下部係止ブラケットの仮止め片を前記構造体の下部取付孔に係止させた際に、パネル状物の上端部が突出部の前端部よりも前方に位置しうるように、パネル状物を傾斜可能にしたことを特徴とする請求項１または２記載のパネル状物取付構造。
【請求項４】
前記上下部の係止ブラケットに、取付面板の外側端縁から前方に向かって延びる位置決め片を設けるとともに、この位置決め片を、パネル状物の後面に穿設した位置決め孔に嵌入することにより、パネル状物の後面への取付位置を規制しうるようにしたことを特徴とする請求項１記載のパネル状物取付構造。
【発明の詳細な説明】
【技術分野】
【０００１】
本発明は、構造体に対するパネル状物取付構造に関する。
【背景技術】
【０００２】
オフィスや店舗等のローパーティションやカウンターなどの構造体に、幕板などのパネル状物を取付ける場合、構造体のパネル状物取付面に、左右に離間した１対の取付孔を上下に離間して穿設するとともに、パネル状物の後面における取付孔に相対する位置に、下向きの係止爪を設け、これら係止爪と取付孔とを係止させることにより、構造体にパネル状物を取り付けるようにしたものが公知である（例えば特許文献１参照）。
【０００３】
しかし、上記したパネル状物取付構造では、パネル状物の取付時に、各々の係止爪を取付孔に同時に嵌入して係止させねばならず、パネル状物の下部における係止爪と、構造体の下部における取付孔との係止状態を視認することができないため、重量や寸法の大きいパネル状物の取り付けに際して、作業性が悪く、一人で確実に取り付けることが困難であるという問題があった。
【特許文献１】特開２００１−１３２１４４号公報
【発明の開示】
【発明が解決しようとする課題】
【０００４】
本発明は、上記現状に鑑み、重量や寸法の大きい幕板などのパネル状物であっても、容易な操作で、確実に取り付けることができるようにしたパネル状物取付構造を提供することを目的としている。
【課題を解決するための手段】
【０００５】
本発明によると、上記課題は、次のようにして解決される。
（１）  幕板などのパネル状物を取り付けるための構造体におけるパネル状物取付面に、左右に離間した各１対の取付孔を上下に離間して穿設するとともに、パネル状物の後面における前記取付孔に相対する位置に、左右各１対の係止ブラケットを上下に離間して設け、これら係止ブラケットと前記取付孔とを、それぞれ係止させることにより、前記構造体にパネル状物を取り付けたパネル状物取付構造において、前記パネル状物の下部に設けた左右１対の下部係止ブラケットを、左右方向を向き、かつ前面がパネル状物の後面に当接される取付面板と、この取付面板の内側端縁から後方に向かって突出した基片と、この基片の下端縁面における取付面板の後面から前記構造体のパネル状物取付面に穿設した前記取付孔の内周縁部の肉厚とほぼ同一の間隔をもって離間し、かつその位置から下方に向かって延びる固定片と、基片の下端縁における固定片から後方に離間した位置より、下方に向かって延設された仮止め片とを備えるものとする。
【０００６】
（２）  幕板などのパネル状物を取り付けるための構造体におけるパネル状物取付面に、左右に離間した各１対の取付孔を上下に離間して穿設するとともに、パネル状物の後面における前記取付孔に相対する位置に、左右各１対の係止ブラケットを上下に離間して設け、これら係止ブラケットと前記取付孔とを、それぞれ係止させることにより、前記構造体にパネル状物を取り付けたパネル状物取付構造において、前記パネル状物の下部に設けた左右１対の下部係止ブラケットを、パネル状物の後面から後方に向かって突出した基片と、この基片の下端縁面におけるパネル状物の後面から前記構造体のパネル状物取付面に穿設した前記取付孔の内周縁部の肉厚とほぼ同一の間隔をもって離間し、かつその位置から下方に向かって延びる固定片と、基片の下端縁における固定片から後方に離間した位置より、下方に向かって延設された仮止め片とを備えるものとする。
【０００７】
（３）  上記（１）項または（２）項において、前記構造体に、この構造体におけるパネル状物取付面の上方において、前記パネル状物取付面よりも前方に向かって突出する突出部を設けるとともに、下部係止ブラケットの仮止め片を前記構造体の下部取付孔に係止させた際に、パネル状物の上端部が突出部の前端部よりも前方に位置しうるように、パネル状物を傾斜可能にする。
【０００８】
（４）  上記（１）項において、前記上下部の係止ブラケットに、取付面板の外側端縁から前方に向かって延びる位置決め片を設けるとともに、この位置決め片を、パネル状物の後面に穿設した位置決め孔に嵌入することにより、パネル状物の後面への取付位置を規制しうるようにする。
【発明の効果】
【０００９】
請求項１記載の発明によると、幕板などのパネル状物の下部に設けた下部係止ブラケットに仮止め片を設け、この仮止め片を、パネル状物取付時に、構造体の下部取付孔に係止させて仮止めした後、上部係止ブラケットと下部係止ブラケットの固定片を上下の取付孔に係止させているため、重量や寸法の大きいパネル状物であっても、容易な操作で、確実に取り付けることができる。
【００１０】
請求項２記載の発明によると、請求項１記載の発明と同様に、下部係止ブラケットに設けた仮止め片を、パネル状物取付時に、構造体の下部取付孔に係止させて仮止めした後、上部係止ブラケットと下部係止ブラケットの固定片を上下の取付孔に係止させているため、重量や寸法の大きいパネル状物であっても、容易な操作で、確実に取り付けることができる。
【００１１】
請求項３記載の発明によると、構造体におけるパネル状物取付面の上方において、パネル状物取付面よりも前方に向かって突出する突出部を設けるとともに、下部係止ブラケットの仮止め片を構造体の下部取付孔に係止させた際に、パネル状物の上端部が突出部の前端部よりも前方に位置しうるように、幕板を傾斜可能にしてあるため、パネル状物取付時に、構造体の取付面を下方まで視認可能な覗き窓を形成することができ、構造体の取付孔に、パネル状物の下部係止ブラケットを係止させる際に、取付孔と下部係止ブラケットの仮止め片との係止状態を容易に確認することができ、作業性を高めることができる。
【００１２】
請求項４記載の発明によると、係止ブラケットに、取付面板の外側端縁から前方に向かって延びる位置決め片を有するとともに、この位置決め片を、パネル状物の裏面に穿設した位置決め孔に嵌入することにより、パネル状物の後面への取付位置を規制しうるようにしてあるため、係止ブラケットの取付作業性を高めることができる。
【発明を実施するための最良の形態】
【００１３】
以下、本発明の実施形態を、添付図面を参照して説明する。図１は、本発明を実施した対面式カウンターの斜視図、図２は、同じく、分解斜視図である。
なお、以下の説明では、図１における左下から右上に至る方向を「前後方向」とし、左上から右下に至る方向を「左右方向」として説明する。
【００１４】
図１および図２に示すように、対面式カウンター１は、複数の基本ユニット２を左右に配列して連結し、カウンター前後の空間を区画するとともに、これら基本ユニット２における左右の側部に、前後方向を向く間仕切パネル３を連結して、各基本ユニット２におけるカウンターの執務空間を左右に区画しうるように構成されている。
【００１５】
図３は、図１のＩＩＩ−ＩＩＩ線における対面式カウンター１の縦断面図、図４は、基本ユニット２の拡大斜視図、図５は、同じく、基本ユニット２の分解斜視図、図６は、同じく、基本ユニット２の側面図である。
【００１６】
基本ユニット２は、図３〜図６、特に図５に示すように、左右方向を向く支持枠体４の前面における、パネル状物取付面である幕板取付面４ａに、パネル状物としての幕板６が取り付けられて、支持体が形成されるとともに、支持枠体４の上部に、天板５を支持させて構成されている。幕板６の下部には、巾木７が取り付けられている。突出部としての天板５の前端部５ａは、支持枠体４の幕板取付面４ａより前方に向けて突出させてある。
【００１７】
支持枠体４は、左右方向を向く上下１対の横枠８、８と、上下方向を向く左右１対の縦枠９、９とにより、横長の矩形状に枠組みされており、本発明における幕板６を取り付けるための構造体を形成している。左右の縦枠９、９間には、天板５上に配置される電気機器用の配線（図示略）を収容するための左右方向を向く上下２本の配線ダクト１０、１０が配設されており、これら各配線ダクト１０の両端部は、左右１対のブラケット１１、１１をもって、縦枠９、９間に固定されている。
【００１８】
支持枠体４と天板５とは、天板５の左右両側面に取り付けたＴ字形のブラケット１２、１２における縦杆１２ａを、支持枠体４における左右の縦枠９、９の上端開口９ａ、９ａ内に上方から挿入して、外側からボルト１２ｂを、縦枠９内に挿入されたブラケット１２のボルト孔１２ｃに向けて螺合させることにより、一体的に組み付けられている。
【００１９】
支持枠体４の前面の幕板取付面４ａには、左右の縦枠９、９に、それぞれ縦長の取付孔１３、１３が、上下に離間させて穿設されている。幕板６の後面における前記取付孔１３、１３に相対する位置には、上部係止ブラケット１４および下部係止ブラケット１５が設けられ、これらの係止ブラケット１４、１５を前記取付孔１３、１３に係止させることにより、幕板６が支持枠体４の前面に取り付けられている。
【００２０】
図７は、図６のＶＩＩ部における上部係止ブラケット１４の幕板６の後面への取付状態を示す要部拡大分解斜視図である。
【００２１】
上部係止ブラケット１４は、図７に示すように、左右方向を向き、前面が幕板６の後面に当接される取付面板１４ａと、この取付面板１４ａの左右方向の内側端縁から後方に向かって突出した基片１４ｂと、この基片１４ｂの下端縁面における、取付面板１４ａの後面から、支持枠体４の幕板取付面４ａに穿設した取付孔１３の内周縁部の肉厚とほぼ同一の間隔をもって後方に向けて離間する位置において、下方に向かって延びる固定片１４ｃと、前記取付面板１４ａの左右方向の外側端縁から前方に向かって延びる位置決め片１４ｄとより形成されている。
【００２２】
位置決め片１４ｄは、幕板６の後面における上部の左右隅部に穿設された縦長角形の位置決め孔１６に嵌入することにより、幕板６の後面への上部係止ブラケット１４の取付位置を規制しうるようになっている。
【００２３】
取付面板１４ａには、幕板６の後面に設けた上下のねじ孔１７、１７に相対する位置に横長のねじ挿通孔１４ｅ、１４ｅが穿設されており、これらのねじ挿通孔１４ｅ、１４ｅを通して、前記ねじ孔１７、１７に、１対のねじ１８、１８を後方から前方に向けて螺合させることにより、上部係止ブラケット１４が幕板６の後面に取り付けられている。
【００２４】
図８は、図６のＶＩＩＩ部における下部係止ブラケット１５の幕板６の後面への取付状態を示す要部拡大分解斜視図である。
【００２５】
下部係止ブラケット１５は、図８に示すように、左右方向を向き、前面が幕板６の後面に当接される取付面板１５ａと、この取付面板１５ａの左右方向の内側端縁から後方に向かって突出した基片１５ｂと、この基片１５ｂの下端縁における取付面板１５ａの後面から、支持枠体４の幕板取付面４ａに穿設した取付孔１３の内周縁部の肉厚とほぼ同一の間隔をもって後方に向けて離間する位置において、下方に向かって延びる固定片１５ｃと、基片１５ｂの下端縁における固定片１５ｃから後方に離間した位置より、下方に向かって延設された仮止め片１５ｄと、前記取付面板１５ａの左右方向の外側端縁から前方に向かって延びる位置決め片１５ｅとより形成されている。
【００２６】
位置決め片１５ｅは、上部係止ブラケット１４と同様に、幕板６の後面における下部の左右隅部に穿設された縦長角形の位置決め孔１９に嵌入することにより、幕板６の後面への下部係止ブラケット１５の取付位置を規制しうるようになっている。
【００２７】
取付面板１５ａには、幕板６の後面に設けた上下のねじ孔２０、２０に相対する位置に横長のねじ挿通孔１５ｆ、１５ｆが穿設されており、これらのねじ挿通孔１５ｆ、１５ｆを通して、前記ねじ孔２０、２０に、１対のねじ２１、２１を後方から前方に向けて螺合させることにより、下部係止ブラケット１５が幕板６の後面に取り付けられている。
なお、図示は、省略するが、下部係止ブラケット１５は、幕板６の後面から、直接、基片１５ｂを突設させた形態のものを用いてもよい。
【００２８】
次に、支持枠体４への幕板６の取付手順を説明する。
図９の（ａ）〜（ｃ）は、基本ユニットにおける支持枠体への幕板の取付手順を説明する図である。
【００２９】
図９（ａ）、図８に示すように、幕板６の後面に、それぞれ上部および下部係止ブラケット１４、１５を取り付けた後、支持枠体４の前面下部に設けた取付孔１３に、幕板６の下部係止ブラケット１５の仮止め片１５ｄ（図８参照）を挿入し係止させることにより、幕板６の下端部６ａを仮止め状態にする。
このとき、幕板６の上端部６ｂは、支持枠体４の前面上部に設けた取付孔１３には係止されておらず、幕板６は、下部係止ブラケット１５の仮止め片１５ｄを支点に前方に回動して、支持枠体４の上部に支持された天板５の前端部５ａよりも前方に位置しうるように、手前に向けて傾斜可能になっている。
【００３０】
支持枠体４における幕板６の幕板取付面４ａよりも前方に突出する天板５の前端部５ａと、幕板６の上端部６ｂとの間には、支持枠体４の幕板取付面４ａを下方まで視認可能な覗き窓が形成されるように、下部係止ブラケット１５における仮止め片１５ｄの幕板６の後面からの離間距離が設定されている。これにより、支持枠体４の取付孔１３に、幕板６の下部係止ブラケット１５を係止させる際に、取付孔１３と、下部係止ブラケット１５の仮止め片１５ｄとの係止状態を容易に確認することができ、作業性を高めることができる。
【００３１】
次いで、図９（ｂ）に示すように、仮止め状態における幕板６の上端部６ｂを、支持枠体４の上部における幕板取付面４ａに押し当てながら、幕板６を持ち上げる。
【００３２】
さらに、図９（ｃ）に示すように、幕板６の後面上部における上部係止ブラケット１４の固定片１４ｃを、支持枠体４の上部における取付孔１３（図７参照）に挿入するとともに、幕板６の後面下部における下部係止ブラケット１５の固定片１５ｃを、支持枠体４の前面下部における取付孔１３に向けて押し込んで（図８参照）挿入した後、幕板６を下げることにより、上部係止ブラケット１４および下部係止ブラケット１５を上下の取付孔１３、１３にそれぞれ容易に係止することができる。このようにして、支持枠体４の幕板取付面４ａに、幕板６を作業効率良く取り付けることができる。
【００３３】
次に、間仕切パネル３の基本ユニット２への連結について説明する。
図１０は、図３のＸ部における第１ブラケットによる基本ユニット２と間仕切パネル３との連結状態を示す要部拡大分解斜視図、図１１は、図３のＸＩ部における第２ブラケットによる基本ユニット２と間仕切パネル３との連結状態を示す要部拡大分解斜視図である
【００３４】
基本ユニット２と間仕切パネル３とは、図３、図１０、図１１に示すように、支持枠体４における左右の縦枠９、９の後面上下両部にそれぞれ穿設した上下のねじ孔２２、２２に、ねじ２３、２３をもって取り付けた上下１対の第１ブラケット２４、２４と、天板５の後端部５ｂにおける下面側部に、ねじ２５をもって取り付けた左右１対の第２ブラケット２６、２６とにより連結されている。
【００３５】
第１ブラケット２４は、図１０に示すように、支持枠体４における縦枠９の後面に当接される基板２４ａと、この基板２４ａの側端縁から間仕切パネル３の側面に沿うように後向きに延びる係止片２４ｂとを有する。基板２４ａには、支持枠体４における縦枠９の後面に設けた上下のねじ孔２２、２２に相対する位置に、ねじ挿通孔２４ｃ、２４ｃが穿設されており、これらのねじ挿通孔２４ｃ、２４ｃを通して、ねじ２３、２３をねじ孔２２、２２に向けて螺合させることにより、第１ブラケット２４が縦枠９に取り付けられている。
【００３６】
第２ブラケット２６は、図１１に示すように、天板５の左右端部の下面に当接される基板２６ａと、この基板２６ａの外側端縁から垂下する係止片２６ｂとを有する。基板２６ａには、ねじ挿通孔２６ｃが穿設されており、このねじ挿通孔２６ｃを通して、ねじ２５を天板５の下面に向けてねじ込むことにより、第２ブラケット２６が天板５に取り付けられている。
【００３７】
一方、間仕切パネル３には、図３に示すように、その側面における上部、中間部および下部に、前後方向のほぼ全長に亘って延びる補強レール２７、２８、２９が設けられており、各補強レール２７、２８、２９には、左右方向の内方に向け開放する断面コ字形をなす係合溝２７ａ、２８ａ、２９ａが形成されている（図１０、図１１参照）。
【００３８】
上下の第１ブラケット２４、２４による基本ユニット２と間仕切パネル３との連結は、次のようにして行われる。図１０に示すように、間仕切パネル３における中間部補強レール２８の係合溝２８ａに、板ナット３０を嵌入し、この板ナット３０に穿設したボルト孔３１に、基本ユニット２の支持枠体４に取り付けた第１ブラケット２４の係止片２４ｂに穿設されたボルト挿通孔２４ｄを通して、ボルト３２を螺合させて仮止め係止する。
この仮止め状態で、基本ユニット２と間仕切パネル３とを前後に相対的に移動させて、間仕切パネル３を、基本ユニット２に対して取付位置を前後に変更調整した後、ボルト３２を本締めすることにより、基本ユニット２に対して間仕切パネル３を前後方向の所望の位置に連結する。
【００３９】
次いで、第１ブラケット２４による基本ユニット２と間仕切パネル３との連結後、図１１に示すように、間仕切パネル３における中間部補強レール２８の係合溝２８ａに、板ナット３３を嵌入し、この板ナット３３に穿設したボルト孔３４に、基本ユニット２の天板５に取り付けた第２ブラケット２６の係止片２６ｂに穿設したボルト挿通孔２６ｄを通して、ボルト３５を螺合させて締結することにより、基本ユニット２と間仕切パネル３との連結が完了する。
【００４０】
図１〜図３に示すように、間仕切パネル３の前端縁には、各基本ユニット２の前方を一部目隠しうるように、左右方向を向く衝立用パネル３６が、水平方向に回動可能に取り付けられている。
【００４１】
衝立用パネル３６は、例えば、半透明のガラスやアクリル等の薄板状物３７よりなる。この衝立用パネル３６の一側端縁は、間仕切パネル３の側面における前後方向のほぼ全長に亘って上下に配設した各補強レール２７〜２９の係合溝２７ａ〜２９ａを利用して、間仕切パネル３の前端縁に連結されている。
【００４２】
図１２は、図１のＸＩＩ部における接床部材の衝立用パネルへの装着状態を示す要部拡大斜視図、図１３は、同じく、分解斜視図、図１４は、図１２のＸＩＶ−ＸＩＶ線縦断面図である。
【００４３】
図１２〜図１４に示すように、衝立用パネル３６の他側端縁における下端部には、嵌入切欠部３８（図１３参照）が鉤形に切欠き形成されており、この嵌入切欠部３８の上方には、ボルト挿入孔３９が設けられている。
【００４４】
衝立用パネル３６の嵌入切欠部３８には、接床部材４０が装着されている。この接床部材４０は、衝立用パネル３６の後面に内面４１ａが当接される基材４１と、衝立用パネル３６の前面に内面４２ａが当接されるカバー材４２とより形成されている。基材４１の内面４１ａには、内方に向かって突出する嵌合凸部４３が設けられ、この嵌合凸部４３は、衝立用パネル３６の嵌入切欠部３８に下方から嵌入しうるようになっている。
【００４５】
カバー材４２の内面４２ａには、前記嵌合凸部４３との相対位置に、前記基材４１の嵌合凸部４３が嵌合される嵌合凹部４４が設けられている。
【００４６】
基材４１とカバー材４２とには、それらの嵌合凸部４３と嵌合凹部４４との嵌合状態において、衝立用パネル３６の嵌入切欠部３８の上方に設けたボルト挿通孔３９に整合するボルト穴４５とボルト挿通孔４６が、それぞれ形成されている。これらのボルト挿通孔３９、ボルト穴４５、ボルト挿通孔４６は、基材４１とカバー材４２との間に、衝立用パネル３６の前後両面を挟持しうるように組み付けるとともに、基材４１における嵌合凸部４３の上端面４３ａに、衝立用パネル３６における嵌入切欠部３８の上端縁面３８ａが載置されるように組み付けた後、前記ボルト挿通孔４６、３９にボルト４７を挿通して、ボルト穴４５に螺合し、衝立用パネル３６、基材４１およびカバー材４２を共締めしてある。衝立用パネル３６、基材４１、カバー材４２の下端縁面３７ａ、４１ｂ、４２ｂおよび側端縁面３７ｂ、４１ｃ、４２ｃは、それぞれ互いにほぼ同一平面上に位置しうるように組み付けられている。
これにより、接床部材４０をもって衝立用パネル３６の荷重を受けることができるとともに、衝立用パネル３６の遊端側の下端部の角部が保護されている。
【００４７】
基材４１における嵌合凸部４３の下面には、上下方向を向くねじ孔４８が貫通形成され、このねじ孔４８には、高さ調整用アジャスタ４９のねじ杆５０が螺合して取り付けられている。
【００４８】
図１５は、接床部材の他の実施形態を示す分解斜視図である。なお、本実施形態の接床部材５１において、基材５２へのカバー材５３の組み付けは、上記した接床部材４０と同様であるため、その説明は省略する。
【００４９】
図１５に示すように、接床部材５１には、基材５２における嵌合凸部５４の上端縁面５４ａに、基材５２の内面５２ａから内方に衝立用パネル５５の厚みとほぼ同寸離間した位置に、把持片５６が突設されている。
これにより、接床部材５１の組付け時に、基材５２における嵌合凸部５４の上端面５４ａに、衝立用パネル５５を、基材５２の内面５２ａと把持片５６の内面５６ａとの間で把持した状態で仮置きすることができるため、施工性を高めることができる。
【００５０】
図１６〜図１９は、対面式カウンター１における各種のレイアウトを示す平面図である。
【００５１】
図１６は、左右に隣接する基本ユニット２、２を、平面視左右方向にほぼ一直線状に配列するとともに、各基本ユニット２における天板５の後端部と間仕切パネル３の後端部とを前後に一致させて配列したレイアウト状態を示している。
【００５２】
図１７は、左右に隣接する基本ユニット２、２を、順次、間仕切パネル３と共に前後にずらせて配列したレイアウト状態を示している。
【００５３】
図１８は、左右に隣接する基本ユニット２、２を、平面視において円弧状に配列したレイアウト状態を示している。
【００５４】
図１９は、左右に隣接する基本ユニット２、２を、平面視において円弧状に配列するとともに、順次、間仕切パネル３と共に前後にずらせて配列したレイアウト状態を示している。
【００５５】
なお、上記した実施形態においては、間仕切パネル３の各補強レール２７、２８、２９における係止溝２７ａ、２８ａ、２９ａを用いて、間仕切パネル３に、カウンター構成要素としての衝立用パネル３６を取り付けたが、他のカウンター構成要素として、例えば、スイングドアや、簡易仕切パネル、サインボード、延長パネル体等を容易に取り付けることができる。
【図面の簡単な説明】
【００５６】
【図１】本発明を実施した対面式カウンターの斜視図である。
【図２】同じく、分解斜視図である。
【図３】図１におけるＩＩＩ−ＩＩＩ線縦断面図である。
【図４】基本ユニットの拡大斜視図である。
【図５】同じく、基本ユニットの分解斜視図である。
【図６】同じく、基本ユニットの側面図である。
【図７】図６のＶＩＩ部における要部拡大分解斜視図である。
【図８】図６のＶＩＩＩ部における要部拡大分解斜視図である。
【図９】（ａ）〜（ｃ）は、基本ユニットにおける支持枠体への幕板の取付手順を説明する図である。
【図１０】図３のＸ部における要部拡大分解斜視図である。
【図１１】図３のＸＩ部における要部拡大分解斜視図である。
【図１２】図１のＸＩＩ部における衝立用パネルへの接床部材の装着状態を示す要部拡大斜視図である。
【図１３】同じく、分解斜視図である。
【図１４】図１２におけるＸＩＶ−ＸＩＶ線縦断面図である。
【図１５】接床部材の他の実施形態を示す分解斜視図である。
【図１６】対面式カウンターの他のレイアウトを示す平面図である。
【図１７】対面式カウンターの、さらに他のレイアウトを示す平面図である。
【図１８】対面式カウンターの、さらに他のレイアウトを示す平面図である。
【図１９】対面式カウンターの、さらに他のレイアウトを示す平面図である。
【符号の説明】
【００５７】
１    対面式カウンター
２    基本ユニット
３    間仕切パネル
４    支持枠体（構造体）
４ａ  幕板取付面（パネル状物取付面）
５    天板
５ａ  前端部（突出部）
５ｂ  後端部
６    幕板
６ａ  下端部
６ｂ  上端部
７    巾木
８    横枠
９    縦枠
１０  配線ダクト
１１  ブラケット
１２  ブラケット
１２ａ  縦杆
１２ｂ  ボルト
１２ｃ  ボルト孔
１３  取付孔
１４  上部係止ブラケット
１４ａ  取付面板
１４ｂ  基片
１４ｃ  固定片
１４ｄ  位置決め片
１４ｅ  ねじ挿通孔
１５  下部係止ブラケット
１５ａ  取付面板
１５ｂ  基片
１５ｃ  固定片
１５ｄ  仮止め片
１５ｅ  位置決め片
１５ｆ  ねじ挿通孔
１６  位置決め孔
１７  ねじ孔
１８  ねじ
１９  位置決め孔
２０  ねじ孔
２１  ねじ
２２  ねじ孔
２３  ねじ
２４  第１ブラケット
２４ａ  基板
２４ｂ  係止片
２４ｃ  ねじ挿通孔
２４ｄ  ボルト挿通穴
２５  ねじ
２６  第２ブラケット
２６ａ  基板
２６ｂ  係止片
２６ｃ  ねじ挿通孔
２６ｄ  ボルト挿通穴
２７  上部補強レール
２７ａ  係合溝
２８  中間部補強レール
２８ａ  係合溝
２９  下部補強レール
２９ａ  係合溝
３０  板ナット
３１  ボルト孔
３２  ボルト
３３  板ナット
３４  ボルト孔
３５  ボルト
３６  衝立用パネル
３７  薄板状物
３７ａ  下端面
３７ｂ  側端面
３８  嵌入切欠部
３８ａ  下端面
３９  ボルト挿通孔
４０  接床部材
４１  基材
４１ａ  内面
４１ｂ  下端縁面
４１ｃ  側端縁面
４２  カバー材
４２ａ  内面
４２ｂ  下端縁面
４２ｃ  側端縁面
４３  嵌合凸部
４３ａ  上端縁面
４４  嵌合凹部
４５  ボルト孔
４６  ボルト挿通孔
４７  ボルト
４８  ねじ孔
４９  高さ調整用アジャスタ
５０  ねじ杆
５１  接床部材
５２  基材
５２ａ  内面
５３  カバー材
５４  嵌合凸部
５４ａ  上端縁面
５５  衝立用パネル
５６  把持片
５６ａ  内面
【図１】
2008121314.tif 000003
【図２】
2008121314.tif 000004
【図３】
2008121314.tif 000005
【図４】
2008121314.tif 000006
【図５】
2008121314.tif 000007
【図６】
2008121314.tif 000008
【図７】
2008121314.tif 000009
【図８】
2008121314.tif 000010
【図９】
2008121314.tif 000011
【図１０】
2008121314.tif 000012
【図１１】
2008121314.tif 000013
【図１２】
2008121314.tif 000014
【図１３】
2008121314.tif 000015
【図１４】
2008121314.tif 000016
【図１５】
2008121314.tif 000017
【図１６】
2008121314.tif 000018
【図１７】
2008121314.tif 000019
【図１８】
2008121314.tif 000020
【図１９】
2008121314.tif 000021